【手続補正書】
【提出日】平成19年11月16日(2007.11.16)
【手続補正１】
【補正対象書類名】特許請求の範囲
【補正対象項目名】全文
【補正方法】変更
【補正の内容】
【特許請求の範囲】
【請求項１】
被検体ポジション（８４）から隔てられ、被検体ポジション（８４）の中心（８６）から隔てられた曲率中心（９２）を持った少なくとも１つの第１の湾曲したポイントの軌跡（８８）を含む第１のポイントの軌跡（８８）に沿って分布されたポジションから、約２００ＭＨｚから約１ＴＨｚまでの周波数範囲の電磁放射（２６，３０）を、中心（８６）を持つ被検体ポジション（８４）における被検体（１００）に向かって送信しそこから受信するように構成されたアンテナ機器（８２）と、
アンテナ機器（８２）を操作し、受信した放射（３０）を表現する出力（４８）を作り出すように構成されたトランシーバ（３８）と、
トランシーバ出力（４８）を、被検体（１００）の少なくとも一部のイメージを表現する画像データ（５０）に変換するように適合されたプロセッサ（４０）と、
を有することを特徴とするイメージングシステム（２０）。
【請求項２】
被検体ポジション（８４）の中心（８６）は、湾曲したポイントの軌跡（８８）の曲率中心（９２）と、関係するポイントの軌跡（８８）の間にあることを特徴とする請求項１に記載のシステム（２０）。
【請求項３】
湾曲したポイントの軌跡（１３８）の曲率中心（１４２）とアンテナ機器（１３２）は、被検体ポジション（１３４）の中心（１３６）と同じ側にあることを特徴とする請求項１に記載のシステム（２０）。
【請求項４】
ポイントの軌跡（３４４）は複数の異なる曲率中心（３４６，３４８，３５０，３５２）を持つことを特徴とする請求項１に記載のシステム（２０）。
【請求項５】
被検体ポジション（４８６）から隔てられ、曲率中心（４９０）を持ちかつ対向する端部（４８８ａ，４８８ｂ）を備えた第１の円弧（４８８）を規定する少なくとも１つの第１の湾曲したポイントの軌跡を含む第１のポイントの軌跡に沿って分布されたポジションから、約２００ＭＨｚから約１ＴＨｚまでの周波数範囲の電磁放射（２６，３０）を、被検体ポジション（４８６）が円弧の他方の端部（４８８ｂ）よりも円弧の一方の端部（４８８ａ）に近い状態で、被検体ポジション（４８６）における被検体に向かって送信しそこから受信するように構成されたアンテナ機器（４８２）と、
アンテナ機器（４８２）を操作し、受信した放射（３０）を表現する出力（４８）を作り出すように構成されたトランシーバ（３８）と、
トランシーバ（３８）出力を、被検体の少なくとも一部のイメージを表現する画像データ（５０）に変換するように適合されたプロセッサ（４０）と、
を有することを特徴とするイメージングシステム（２０）。
【請求項６】
被検体ポジション（４８６）は、一般に、湾曲したポイントの軌跡の曲率中心（４９０）と、円弧（４８８）の一方の端部（４８８ａ）との間にあることを特徴とする請求項５に記載のシステム（２０）。
【請求項７】
被検体ポジション（３３６）から隔てられ、第１のポイントの軌跡（３４４ａ）に沿って分布されたポジションから、約２００ＭＨｚから約１ＴＨｚまでの周波数範囲の電磁放射（２６，３０）を、被検体ポジション（３３６）における被検体に向かって送信しそこから受信するように構成されたアンテナ機器（６６，３３４）と、
第１のアンテナ経路（７０）に沿ってアンテナ機器（６６，３３４）を移動するように適合された第１の移動機構（６８，３５５）と、
第１の経路ポジション（３６０）と第２の経路ポジション（３５８）の間で第１のアンテナ経路（７０）を横切る方向に第１のアンテナ経路（７０）を移動する方法で、第１の移動機構（６８，３５５）とアンテナ機器（６６）とを移動するように適合された第２の移動機構（７４）と、
アンテナ経路が第２の経路ポジション（３５８）にある時に、アンテナ機器（６６，３３４）を操作し、被検体の少なくとも一部のイメージを表現する画像データ（５０）を作り出すように構成されたコントローラ（２４）と、
を有することを特徴とするイメージングシステム（２０）。
【請求項８】
被検体ポジション（３３６）から隔てられ、第１のポイントの軌跡（３４４ａ）から隔てられた第２のポイントの軌跡（３４４ａ）に沿って分布されたポジションから、約２００ＭＨｚから約１ＴＨｚまでの周波数範囲の電磁放射（２６，３０）を、中心（３３８）を持つ被検体ポジション（３３６）における被検体に向かって送信しそこから受信するように構成され第２のアンテナ機器（３３２）と、第２のアンテナ機器（３３２）に対して、第１の移動機構（６０，３５５）と第１のアンテナ機器（６６，３３４）を移動する第２の移動機構（７４）と、第２のアンテナ機器（３３２）を操作するように構成されたコントローラ（２４）と、をさらに有することを特徴とする請求項７に記載のシステム（２０）。
【請求項９】
被検体ポジション（４１６）から隔てられ、第１のポイントの軌跡に沿って分布されたポジションから、約２００ＭＨｚから約１ＴＨｚまでの周波数範囲の電磁放射（２６，３０）を、被検体ポジション（４１６）における被検体（４１８）に向かって送信しそこから受信するように構成されたアンテナ機器（４０４）と、
第１のアンテナ経路（７０）に沿ってアンテナ機器（４０４）を移動するように適合された第１の移動機構（６８）と、
第１のアンテナ経路（７０）を横切る方向に第１のアンテナ経路（７０）を移動する方法で、第１の移動機構（６８，３５５）とアンテナ機器（６６）とを移動するように適合された第２の移動機構（７４）と、
被検体ポジション（４１６）の周りの連続したループ（４１４）中でアンテナ経路（７０）を移動する方法で、第１の移動機構（６８）とアンテナ機器（４０４）を移動するように適合された第２の移動機構（７４）と、
アンテナ経路（７０）がループ（４０４）の周りの異なるポジションにある時に、アンテナ機器（４０４）を操作し、また第１と第２の移動機構（６８，７４)を操作し、被検体（４１８）の少なくとも一部のイメージを表現する画像データ（５０）を作り出すように構成されたコントローラ（２４）と、
を有することを特徴とするイメージングシステム（２０）。
【請求項１０】
被検体（４１８）は人間であり、システム（２０）は被検体ポジション（４１６）を通過する連続的な被検体経路（４２２）と第１のアンテナ経路（７０）に沿って延在するバリア（４１２）とを含み、第２の移動機構（７４）は、アンテナ機器（４０４）と第１の移動機構（６８）と共にバリア（４１２）を移動するように適合され、コントローラ（２４）は、さらに、アンテナ機器（４０４）の操作を始める前に、被検体ポジション（４１６）から下流の被検体経路（４２２）上にバリア（４１２）を置き、またアンテナ機器（４０４）の操作を始めた後に、被検体ポジション（４１６）から下流の被検体経路（４２２）から離してバリア（４１２）を置く第２の移動機構（７４）を操作するように構成されることを特徴とする請求項９に記載のシステム（２０）。
【請求項１１】
被検体ポジション（３９６）から隔てられたポジションから、約２００ＭＨｚから約１ＴＨｚまでの周波数範囲の電磁放射（２６，３０）を、被検体ポジション（３９６）における被検体（３９０）に向かって送信しそこから受信するように構成されたアンテナ機器（３７６，３７８）と、
第１のアンテナ経路（３８７）に沿ってアンテナ機器（３７６）を移動するように適合された第１の移動機構（６８）と、
第１のアンテナ経路（３８７）から隔てられた第２のアンテナ経路（３８８）に沿って第２のアンテナ機器（３７８）を移動するように適合された第２の移動機構（６８）と、
第１の移動機構（６８）と第１のアンテナ機器（３７６）とを被検体ポジション（３９６）の周りの第１の方向に移動するように適合され、第２の移動機構（６８）と第２のアンテナ機器（３７８）とを被検体ポジション（３９６）の周りの第１の方向とは反対の第２の方向に移動するように適合された第３の移動機構（７４）と、
アンテナ機器（３７６，３７８）が被検体ポジション（３９６）の周りの異なるポジションにある時に、アンテナ機器（３７６，３７８）を操作し、また第１と第２の移動機構（６８)を操作し、被検体（３９０）の少なくとも一部のイメージを表現する画像データ（５０）を作り出すように構成されたコントローラ（２４）と、
を有することを特徴とするイメージングシステム（２０）。
【請求項１２】
コントローラ（２４）は、第１と第２のアンテナ機器（３７６，３７８）がお互いに隣接する第１のアンテナポジションと、第１のアンテナポジションから隔てられた第２のアンテナポジションとの間で第１と第２のアンテナ機器（３７６，３７８）を移動する第３の移動機構（７４）を操作するように構成されることを特徴とする請求項１１に記載のシステム。
【請求項１３】
被検体ポジション（８４）から隔てられ、被検体ポジション（８４）の中心（８６）から隔てられた曲率中心（９２）を持った少なくとも１つの第１の湾曲したポイントの軌跡（８８）を含む第１のポイントの軌跡（８８）に沿って分布されたポジションから、約２００ＭＨｚから約１ＴＨｚまでの周波数範囲の電磁放射（２６）を、中心（８６）を持つ被検体ポジション（８４）における被検体に向かって送信する段階と、
反射した電磁放射（３０）を被検体から受信する段階と、
受信した放射（３０）を表現する出力（４８）を作り出す段階と、
出力（４８）を、被検体の少なくとも一部のイメージを表現する画像データ（５０）に変換する段階と、
を有することを特徴とするイメージング方法。
【請求項１４】
請求項１３に記載の方法であって、放射（２６）を送信する段階はアンテナ機器（８２）からの放射（２６）を送信する段階を含み、放射（３０）を受信する段階はアンテナ機器（８２）において放射（３０）を受信する段階を含み、さらに前記方法は、湾曲したポイントの軌跡（８８）に沿って湾曲した経路（９６）内でアンテナ機器（８２）を移動する段階を含むことを特徴とする方法。
【請求項１５】
請求項１３に記載の方法であって、湾曲したポイントの軌跡は、対向する端部（４８８ａ，４８８ｂ）を持つ第１の円弧（４８８）を規定し、さらに前記方法は、他方の端部（４８８ｂ）よりも円弧（４８８）の一方の端部（４８８ａ）に近く被検体ポジション（４８６）を置く段階を有することを特徴とする方法。
【請求項１６】
放射（２６）を送信する段階は、複数の異なる曲率中心（３４６，３４８，３５０，３５２）を持つ湾曲したポイントの軌跡（３４４）に沿って放射（２６）を送信する段階を含むことを特徴とする請求項１３に記載の方法。
【請求項１７】
被検体ポジション（１８２）から隔てられた送信ポジションから、約２００ＭＨｚから約１ＴＨｚまでの周波数範囲の電磁放射（２６）を、被検体ポジション（１８２）における被検体に向かって送信する段階と、
被検体ポジション（１８２）の少なくとも一部を横切って送信ポジションから送信された放射（２６）をスキャンする段階と、
反射した電磁放射（３０）を被検体から受信する段階と、
受信した放射（３０）を表現する出力（４８）を作り出す段階と、
出力（４８）を、被検体の少なくとも一部のイメージを表現する画像データ（５０）に変換する段階と、
を有することを特徴とするイメージング方法。
【請求項１８】
放射（２６）を送信する段階は、少なくとも１つのアンテナユニット（１７２）から放射（２６）を送信する段階を含み、放射（２６）をスキャンする段階は、旋回軸（１８８）の周りにそれぞれのアンテナユニット（１７２）を旋回させる段階を含むことを特徴とする請求項１７に記載の方法。
【請求項１９】
被検体ポジション（８４）から隔てられ、被検体ポジション（８４）の中心（８６）から隔てられた曲率中心（９２）を持った少なくとも１つの第１の湾曲したポイントの軌跡（８８）を含む第１のポイントの軌跡（８８）に沿って分布されたポジションから、約２００ＭＨｚから約１ＴＨｚまでの周波数範囲の電磁放射（２６）を、中心（８６）を持つ被検体ポジション（８４）における被検体（１００）に向かって送信するための手段（８２）と、
反射した電磁放射（３０）を被検体（１００）から受信するための手段（８２）と、
受信した放射（３０）を表現する出力（４８）を作り出すための手段（３８）と、
出力（４８）を、被検体（１００）の少なくとも一部のイメージを表現する画像データ（５０）に変換するための手段（４０）と、
を有することを特徴とするイメージングのシステム（２０）。
【請求項２０】
請求項１９に記載のシステム（２０）であって、放射（２６）を送信するための手段（８２）はアンテナ機器（８２）を含み、放射を受信するための手段（８２）はアンテナ機器（８２）を含み、さらに前記システム（２０）は、送受信の際に湾曲したポイントの軌跡（８８）に沿って湾曲した経路（９６）内でアンテナ機器（８２）を移動するための手段（３２）を有することを特徴とするシステム（２０）。
【請求項２１】
放射（２６）を送信するための手段（３３２）は、さらに、複数の異なる曲率中心（３４６，３５０，３５２）を持つ湾曲したポイントの軌跡（３４４）に沿って放射（２６）を送信するためのものであることを特徴とする請求項１９に記載のシステム（２０）。
【請求項２２】
被検体ポジション（１８２）から隔てられた送信ポジションから、約２００ＭＨｚから約１ＴＨｚまでの周波数範囲の電磁放射（２６）を、被検体ポジション（１８２）における被検体に向かって送信するための手段（１７４）と、
被検体ポジション（１８２）の少なくとも一部を横切って送信ポジションから送信された放射（２６）をスキャンするための手段（１７４）と、
反射した電磁放射（３０）を被検体から受信するための手段（１７４）と、
受信した放射（３０）を表現する出力（４８）を作り出すための手段（３８）と、
出力（４８）を、被検体の少なくとも一部のイメージを表現する画像データ（５０）に変換するための手段（４０）と、
を有することを特徴とするイメージングのシステム（２０）。
【請求項２３】
放射（３０）を送信するための手段（１７４）は、さらに、少なくとも１つのアンテナユニット（１７２）から放射（３０）を送信するためのものであり、放射（３０）をスキャンすることは、旋回軸（１８８）の周りにそれぞれのアンテナユニット（１７２）を旋回させることを含むことを特徴とする請求項２２に記載のシステム（２０）。